(57)【特許請求の範囲】
【請求項１】
バンド部と、
当該バンド部に取り付けられるパッシブ型の金属対応ＵＨＦタグと、を備えるＵＨＦタグ付き巻付バンドであって、
前記金属対応ＵＨＦタグは、アンテナ部及び当該アンテナ部を介して無線通信するＩＣ部を有するタグ本体と、
前記タグ本体が収容され、前記バンド部に取り付けられるケースと、を備え、
前記バンド部は、
身体に巻き付け可能な弾性部材からなるバンド本体と、
可撓性を有し前記バンド本体に配置される帯板状の金属部材と、を備え、
前記ケースは、前記バンド部を挿入する貫通孔を含み、前記金属対応型ＵＨＦタグは、前記バンド部に着脱自在であり、
前記アンテナ部は前記帯板状の金属部材を含まず、
前記ＩＣ部は前記帯板状の金属部材と電気的に接続されていないことを特徴とするＵＨＦタグ付き巻付バンド。
【請求項２】
前記金属部材の幅は、前記タグ本体の幅よりも広いことを特徴とする請求項１記載のＵＨＦタグ付き巻付バンド。
【請求項３】
前記バンド本体は、シリコンゴムにより構成されることを特徴とする請求項１又は請求項２記載のＵＨＦタグ付き巻付バンド。
【請求項４】
前記金属部材は、幅方向に湾曲するように弾性変形可能であり、幅方向に湾曲させることで真っ直ぐな状態を維持し、当該真っ直ぐな状態の前記金属部材の一部を押圧することで丸まった状態に変形することを特徴とする請求項１乃至３のいずれか１項記載のＵＨＦタグ付き巻付バンド。
【請求項５】
前記バンド本体は、身体側に配置される下側バンドと、当該下側バンドの上に重ねる上側バンドと、を有し、
前記金属部材は、シート部材からなり、前記上側バンドと前記下側バンドとの間に挟持されることを特徴とする請求項１乃至３のいずれか１項記載のＵＨＦタグ付き巻付バンド。
【発明の詳細な説明】
【技術分野】
【０００１】
本発明は、医療現場や工場における人員管理等に適用されるＵＨＦタグ付き巻付バンドに関する。
【背景技術】
【０００２】
従来、病院において健康診断を行う場合、被験者に氏名、年齢、血液型などその個人固有の識別データを登録したＲＦＩＤタグを内蔵したリストバンドを持たせ、検査や診察の際にリストバンドをリーダにかざすことにより、本人確認を行う、というシステムが開発されている。
【０００３】
また、従来、この種の技術として特許文献１に記載された技術がある。特許文献１には、リストバンドのバンド部のみを交換可能とし、個人情報を保存したＲＦＩＤタグ部分を再利用可能とし、再発行のコストを抑えることができるリストバンド用ＲＦＩＤラベル及びＲＦＩＤリストバンドについて開示されている。
【先行技術文献】
【特許文献】
【０００４】
【特許文献１】特開２００８−１１２０１２号公報
【発明の概要】
【発明が解決しようとする課題】
【０００５】
上述したＲＦＩＤタグを内蔵したリストバンドにおいては、リーダにＲＦＩＤタグを近接させることによって、リーダがＲＦＩＤタグから情報を読み取るものであるため、検査や診察の際にリストバンドをリーダにかざす必要がある。しかし、リストバンドをリーダにかざすことを失念するというヒューマンエラーが発生するおそれがある。そこで、例えば、通信範囲が１〜２ｍ程度のＲＦＩＤタグをリストバンドに取り付けて、被験者に装着することが考えられる。これにより、リストバンドをリーダにかざすことなく、ＲＦＩＤタグを介して被験者の識別データを読み取ることが可能になる。
【０００６】
ところで、従来、通信範囲が比較的大きいＲＦＩＤタグとしては、ＵＨＦタグが知られている。しかし、ＵＨＦタグは、水分が多いところに装着されると性能が低下するため、ＵＨＦタグを身体に直接付けることには適さない。
【０００７】
本発明は、このような問題点を解決し、身体に取り付けた状態で、１〜２ｍ程度の通信を可能にするＵＨＦタグ付き巻付バンドを提供することを目的とする。
【課題を解決するための手段】
【０００８】
前記目的を達成するため、本発明は、次に記載する構成を備えている。
【０００９】
（１）  バンド部と、当該バンド部に取り付けられるパッシブ型の金属対応ＵＨＦタグと、を備えるＵＨＦタグ付き巻付バンドであって、前記バンド部は、身体に巻き付け可能な弾性部材からなるバンド本体と、可撓性を有し前記バンド本体に配置される帯板状の金属部材と、を備えることを特徴とするＵＨＦタグ付き巻付バンド。
【００１０】
（１）によれば、バンド部を身体に巻き付けるという簡単な作業により、身体とパッシブ型の金属対応ＵＨＦタグとの間に金属部材を介在させられる。これにより、身体に取り付けることによるＵＨＦタグの性能の低下を抑制できるので、身体に取り付けたＵＨＦタグの通信距離の低下を抑制できる。よって、ＵＨＦタグを身体に取り付けた状態において、１〜２ｍ程度の無線通信を安定して行うことが可能になる。
【００１１】
（２）  （１）において、前記金属対応型ＵＨＦタグは、アンテナ部及び当該アンテナ部を介して無線通信するＩＣ部を有するタグ本体と、当該タグ本体が収容され、前記バンド部に取り付けられるケースと、を備え、前記金属部材の幅は、前記タグ本体の幅よりも広いことを特徴とする請求項１記載のＵＨＦタグ付き巻付バンド。
【００１２】
（２）によれば、金属部材の幅が前記タグ本体の幅よりも広くすることにより、金属対応ＵＨＦタグの通信距離をより長くすることが可能になる。これにより、１〜２ｍ程度の無線通信をより安定して行うことが可能になる。
【００１３】
（３）  （１）、（２）において、前記金属対応型ＵＨＦタグは、前記バンド部に着脱自在であることを特徴とするＵＨＦタグ付き巻付バンド。
【００１４】
（３）によれば、バンド部を、身体への取り付け部位の大きさに合う長さのものに変更することが容易に可能になる。
【００１５】
（４）  （１）〜（３）において、前記バンド本体は、シリコンゴムにより構成されることを特徴とするＵＨＦタグ付き巻付バンド。
【００１６】
（４）によれば、身体の汗によるバンド部の劣化を抑えることが可能になり、バンド部の長寿命化が図れる。
【００１７】
（５）  （１）〜（４）において、前記金属部材は、幅方向に湾曲するように弾性変形可能であり、幅方向に湾曲させることで真っ直ぐな状態を維持し、当該真っ直ぐな状態の前記金属部材の一部を押圧することで丸まった状態に変形することを特徴とするＵＨＦタグ付き巻付バンド。
【００１８】
（５）によれば、身体への取り付け前は、金属部材を湾曲させてバンド部を真っ直ぐな状態とし、身体への取り付け部位にバンド部を軽く叩き付けることにより、バンド部が身体に巻き付けられる。これにより、ＵＨＦタグ付き巻付バンドを身体に装着することが容易に可能になる。
【００１９】
（６）  （１）〜（４）において、前記バンド本体は、身体側に配置される下側バンドと、当該下側バンド上に重ねる上側バンドと、を有し、前記金属部材は、シート部材からなり、前記上側バンドと前記下側バンドとの間に挟持されることを特徴とするＵＨＦタグ付き巻付バンド。
【００２０】
（６）によれば、金属部材の長さを変えることが容易に可能になる。また、金属部材がシート部材からなるため、バンド部の柔軟性が向上する。これにより、ＵＨＦタグ付き巻付バンドを、例えば手首に装着した場合に、バンド部が手首にフィットし易くなる。
【発明の効果】
【００２１】
本発明によれば、身体に取り付けられ、しかも１〜２ｍ程度の通信を可能にするＵＨＦタグ付き巻付バンドを提供することが可能になる。
【図面の簡単な説明】
【００２２】
【図１】本発明の一実施形態におけるＵＨＦタグ付き巻付バンド１の外観を示す説明図である。
【図２】金属部材１４の構成の一例及び動作を示す説明図である。
【図３】金属対応ＵＨＦタグ２０の断面図である。
【図４】タグ本体２２の概略構成を示す説明図である。
【図５】本実施形態におけるＵＨＦタグ付き巻付バンド１の装着方法を示す説明図である。
【図６】本実施形態におけるＵＨＦタグ付き巻付バンド１を手首に装着した状態を示す説明図である。
【図７】本実施形態におけるＵＨＦタグ付き巻付バンド１を使用した通信システム１００の一例を示す説明図である。
【図８】本発明の他の実施形態におけるＵＨＦタグ付き巻付バンド２の構成を示す説明図である。
【発明を実施するための形態】
【００２３】
以下、本発明の実施形態について、図面を参照しながら詳細に説明する。
図１は、本発明の一実施形態におけるＵＨＦタグ付き巻付バンド１の外観を示す説明図であり、図１（ａ）は平面図、図１（ｂ）は図１（ａ）の分解図、図１（ｃ）は図１（ａ）の側面図である。
【００２４】
ＵＨＦタグ付き巻付バンド１は、バンド部１０と、金属対応ＵＨＦタグ２０とからなる。
バンド部１０は、バンド本体１２と、金属部材１４とからなる。バンド本体１２は、ゴム系材料、例えばシリコンゴムにより構成される帯板状の中空の部材である。金属部材１４は、バンド本体１２の内部に収納される、可撓性を有する帯板状の部材である。なお、金属部材１４は、身体の一部、例えば手首に巻き付け可能な可撓性を有する部材であれば適用可能である。
【００２５】
図１において、金属対応ＵＨＦタグ２０は、金属に直接取り付けて使用することが可能なＵＨＦ帯パッシブ型のＲＦＩＤタグである。
【００２６】
図２は、金属部材１４の構成の一例及び動作を示す説明図であり、図２（ａ）は、第１状態における金属部材１４の幅方向の断面図であり、図２（ｂ）は、第２状態における金属部材１４の幅方向の断面図である。また、図２（ｃ）は、第１状態における金属部材１４の長手方向の断面図であり、図２（ｄ）は、第２状態における金属部材１４の長手方向の断面図である。
金属部材１４は、金属部材１４の幅方向の断面形状が、図２（ａ）に示すように湾曲していない直線状の第１状態と、図２（ｂ）に示すように、表側に凸となるように湾曲した第２状態とのいずれかに切り替わる機能を備えている。
【００２７】
金属部材１４は、通常は第１状態にあり、この場合、図２（ｃ）に示すように丸まった状態になる。また、金属部材１４は、丸まった状態から真っ直ぐな状態に弾性変形させ、更に、幅方向に湾曲させて第２状態に切り替えることにより、図２（ｄ）に示すように、真っ直ぐな平板形状で維持される。したがって、バンド部１０（図１参照）は、内部における金属部材１４の変形に応じて、真っ直ぐな状態及び丸まった状態のいずれかに切り替えることが可能である。
【００２８】
図３は、金属対応ＵＨＦタグ２０の断面図であり、図３（ａ）は図１（ａ）のＡＡ線断面を示し、図３（ｂ）は図１（ｂ）のＢＢ線断面を示す。図４は、タグ本体２２の概略構成を示す説明図である。
【００２９】
金属対応ＵＨＦタグ２０は、タグ本体２２と、ケース２４とからなる。
タグ本体２２は、図４に示すように、ＩＣ部２２ａと、アンテナ部２２ｂとを備えている。
【００３０】
ＩＣ部２２ａは、無線通信回路、情報を記憶する記憶回路、通信制御や記憶制御等の各種の制御を行う制御回路等を集積してＩＣチップ化したものである。アンテナ部２２ｂは、電波の送受信を行うものである。タグ本体２２は、ＩＣ部２２ａ及びアンテナ部２２ｂをセラミック製の筐体に収納することによって構成される。
【００３１】
ケース２４は、図３（ｂ）に示すように、長手方向両端側の下部が斜めに切り欠かれている略直方体形の部材からなり、図３（ａ）、（ｂ）に示すように、上面にタグ本体２２を収納する凹状の収納部２４ａが形成され、また、バンド部１０が着脱自在に通される貫通孔２４ｂが長手方向に貫通して形成されている。ケース２４は、収納部２４ａを閉鎖する蓋体２４ｃを更に備えている。
【００３２】
そして、ケース２４の収納部２４ａにタグ本体２２を収納して、蓋体２４ｃを取り付けることによって金属対応ＵＨＦタグ２０が構成される。更に、貫通孔２４ｂにバンド部１０を挿入することにより、ＵＨＦタグ付き巻付バンド１が構成される。ここで、バンド部１０は、真っ直ぐな状態から丸まった状態に変形する場合に、ケース２４の下面側で丸まった状態となるように、ケース２４に取り付けられる。また、ＵＨＦタグ付き巻付バンド１を平面視した場合に、タグ本体２２は、ケース２４の中心に配置されており、タグ本体２２の載置領域は、金属部材１４の載置領域内に含まれる。
【００３３】
本実施形態では、タグ本体２２は、幅５ｍｍ、長さ１０ｍｍのタブレット錠剤形状に形成される。そして、金属対応ＵＨＦタグ２０は、タグ本体２２の長手方向がバンド部１０の長手方向に沿うようにバンド部１０に取り付けられる。
また、本実施形態では、金属部材１４の長さは、タグ本体２２の長さよりも長く構成される。これにより、身体に取り付けた場合における金属対応ＵＨＦタグ２０の通信距離を長く保つことができる。更に、身体に取り付けた場合における金属対応ＵＨＦタグ２０の通信距離をより好適に維持する観点から、金属部材１４の幅は、タグ本体２２の幅よりも広く構成されることが好ましい。
【００３４】
具体的には、金属部材１４の長さは、５０ｍｍ以上であることが好ましく、１００ｍｍ以上であることがより好ましい。また、金属部材１４の幅は、タグ本体２２の幅よりも広いことが好ましく、タグ本体２２の幅の２倍以上であることがより好ましい。
【００３５】
図５は、本実施形態におけるＵＨＦタグ付き巻付バンド１の装着方法を示す説明図である。使用者は、ＵＨＦタグ付き巻付バンド１におけるバンド部１０の端部を片方の手で持ち、もう片方の手の手首にバンド部１０を軽く叩きつける。これにより、バンド部１０の金属部材１４が、図２（ｂ）に示す湾曲状態から図２（ａ）に示す直線状に切り替わり、バンド部１０が自動的に丸くなって使用者の手首に巻き付けられる。これにより、図６に示すように、使用者の手首にＵＨＦタグ付き巻付バンド１が装着される。使用者の手首にＵＨＦタグ付き巻付バンド１が装着された場合、使用者の手首とタグ本体２２（図１（ｂ）参照）との間に金属部材１４が介在する。
【００３６】
図７は、本実施形態におけるＵＨＦタグ付き巻付バンド１を使用した通信システム１００の一例を示す説明図である。
【００３７】
通信システム１００は、ＵＨＦタグ付き巻付バンド１と、リーダライタ１０２と、を備えている。
【００３８】
リーダライタ１０２は、金属対応ＵＨＦタグ２０と無線通信を行い、金属対応ＵＨＦタグ２０の情報の読み取り、金属対応ＵＨＦタグ２０への情報の書き込みを行う。
【００３９】
金属対応ＵＨＦタグ２０は、ＵＨＦ帯の周波数で無線通信を行うため、リーダライタ１０２から１〜２ｍ程度の範囲であればリーダライタ１０２と無線通信を行うことができる。金属対応ＵＨＦタグ２０は、リーダライタ１０２から受信する電波を電源として、リーダライタ１０２が要求する情報をリーダライタ１０２に無線送信する。
【実施例】
【００４０】
次に、本発明を実施例に基づいて更に詳細に説明するが、本発明はこれに限定されるものではない。
【００４１】
まず、金属部材の幅及び長さによる通信距離への影響を以下の実施例１〜２８及び比較例により調べた。
【００４２】
各実施例においては、シリコンゴムにより構成されるバンド本体を用い、このバンド本体の表面に、アルミニウムテープにより構成される金属部材を取り付けたバンド部を用いた。そして、それぞれ幅及び長さの異なる下記試料１〜７のアルミニウムテープ（金属部材）を取り付けたバンド部を、実施例１〜２８のバンド部とした。
また、アルミニウムテープを取り付けないバンド部を、比較例のバンド部とした。
また、日油技研工業株式会社製のタグ本体（商品名  ＴＡＧＡＴ（登録商標）２００ＪＮ、幅１０ｍｍ、長さ２０ｍｍ、厚さ３．７ｍｍ）を金属対応ＵＨＦタグとして用いた。
金属対応ＵＨＦタグは、タグ本体の長手方向が、アルミニウムテープの長手方向に沿うようにアルミニウムテープ上に配置した。
【００４３】
試料１：幅５ｍｍ
長さ５０ｍｍ、１００ｍｍ、１５０ｍｍ、２００ｍｍ
試料２：幅８ｍｍ
長さ５０ｍｍ、１００ｍｍ、１５０ｍｍ、２００ｍｍ
試料３：幅１０ｍｍ
長さ５０ｍｍ、１００ｍｍ、１５０ｍｍ、２００ｍｍ
試料４：幅１５ｍｍ
長さ５０ｍｍ、１００ｍｍ、１５０ｍｍ、２００ｍｍ
試料５：幅２０ｍｍ
長さ５０ｍｍ、１００ｍｍ、１５０ｍｍ、２００ｍｍ
試料６：幅３０ｍｍ
長さ５０ｍｍ、１００ｍｍ、１５０ｍｍ、２００ｍｍ
試料７：幅４０ｍｍ
長さ５０ｍｍ、１００ｍｍ、１５０ｍｍ、２００ｍｍ
【００４４】
通信距離は、以下の方法により測定した。
電波暗室（Ｄ：１８７０ｍｍ×Ｗ：５４７０ｍｍ×Ｈ：１８３０ｍｍ）内の所定の位置にアンテナ（ＹＡＰ−１００ＣＰ：Ｙｅｏｎ  Ｔｅｃｈｎｏｌｏｇｉｅｓ社製  円偏波アンテナ）を設置し、リーダ／ライタ（Ｉｍｐｉｎｊ社製  Ｓｐｅｅｄｗａｙ  Ｒ４２０（ＩＰＪ−ＲＥＶ−Ｒ４２０−ＪＰ））を、パソコンと接続した。試料を被験者の手首に巻き、アンテナと正対する位置に立ち、リーダ／ライタとの応答を確認しながら、アンテナからの応答距離を確認した。
【００４５】
結果を以下の表１〜７に示す。
【００４６】
【表１】
0005878663.tif 000002
【００４７】
【表２】
0005878663.tif 000003
【００４８】
【表３】
0005878663.tif 000004
【００４９】
【表４】
0005878663.tif 000005
【００５０】
【表５】
0005878663.tif 000006
【００５１】
【表６】
0005878663.tif 000007
【００５２】
【表７】
0005878663.tif 000008
【００５３】
表１〜７に示すように、金属部材（アルミニウムテープ）を備えるバンド部を用いた各実施例のＵＨＦタグ付き巻付バンドは、金属部材を有さないバンド部を用いた比較例１のＵＨＦタグ付き巻付バンドに比して、通信距離が伸びることが確認された。
【００５４】
また、金属部材の長さが１００ｍｍ以上である実施例２〜４、６〜８、１０〜１２、１４〜１６、１８〜２０、２２〜２４、２６〜２８では、特に通信距離が長く保てることが分かった。更に、金属部材の幅がタグ本体の幅よりも広い実施例１３、１７、２１、２５では、金属部材の長さが比較的短い（例えば５０ｍｍ）場合であっても通信距離が長く保てることが分かった。
【００５５】
次に、ＵＨＦタグ付き巻付バンドにおけるタグ本体の向きと、通信距離との関係につき検討した。
ここでは、幅３０ｍｍ、長さ１５０ｍｍのアルミニウムテープを取り付けたバンド部を用いてタグ本体の配置を替え、タグ本体の長手方向がアルミニウムテープの長手方向に沿って配置された場合（実施例２３）、及びタグ本体の幅方向がアルミニウムテープの長手方向に沿って配置された場合（実施例２９）につき、通信距離を測定した。結果を表８に示す。
【００５６】
【表８】
0005878663.tif 000009
【００５７】
表８に示すように、タグ本体の向きを変えても通信距離に大きな変化は見られないことが確認された。
【００５８】
以上説明したように構成された本実施形態によれば、バンド部１０を手首に巻き付けるという簡単な作業により、手首とパッシブ型の金属対応ＵＨＦタグとの間に金属部材１４を介在させることが容易に可能になる。これにより、身体に取り付けることによる金属対応ＵＨＦタグ２０の性能の低下を抑制できるので、身体に取り付けた金属対応ＵＨＦタグ２０の通信距離の低下を抑制できる。よって、金属対応ＵＨＦタグ２０を身体に取り付けた状態において、１〜２ｍ程度の無線通信を安定して行うことが可能になる。
【００５９】
また、本実施形態によれば、金属部材１４の幅がタグ本体２２の幅よりも広くすることにより、金属対応ＵＨＦタグ２０の通信距離をより長くすることが可能になる。また、タグ本体２２と手首との間に、ケース２４及びバンド部１０が介在するため、手首の汗がタグ本体２２に与える影響を低減することができる。
【００６０】
また本実施形態によれば、金属対応型ＵＨＦタグ２０は、バンド部１０に着脱自在であるため、バンド部１０を、身体への取り付け部位に適する長さのものに変更することが容易に可能になる。
【００６１】
また本実施形態によれば、バンド本体１２が、シリコンゴムにより構成されるため、身体の汗によるバンド本体１２の劣化を抑えることが可能になり、しかも、汗が金属部材１４まで到達しにくくなり、金属部材１４の劣化を抑えることが可能になる。このように、バンド部１０の長寿命化が図れる。
【００６２】
また本実施形態によれば、金属部材１４は、幅方向に湾曲するように弾性変形可能であり、幅方向に湾曲させることで真っ直ぐな状態を維持し、真っ直ぐな状態の金属部材１４の一部を押圧することで丸まった状態に変形する。このため、身体への取り付け前は、金属部材１４を湾曲させてバンド部１０を真っ直ぐな状態とし、身体への取り付け部位にバンド部１０を軽く叩き付けることにより、バンド部１０が身体に巻き付けられる。これにより、ＵＨＦタグ付き巻付バンド１を身体に装着することが容易に可能になる。
【００６３】
なお、本発明の実施形態について説明したが、本発明の実施形態は、上述した実施形態に限るものではない。例えば、上述した実施形態によれば、金属部材１４として帯状の金属板を使用しているが、実施例において用いたアルミテープのようなシート状のものを金属部材として用いてもよい。
【００６４】
また、例えば、上述した実施形態によれば、バンド本体１２として、中空の帯板状のシリコンゴムを使用し、その中空部分に金属部材１４を収納したが、それに限らず、２枚の帯板状のシリコンゴムの間に金属部材１４あるいは図８に示すようにアルミテープを挟んでもよい。
【００６５】
図８は、本発明の他の実施形態におけるＵＨＦタグ付き巻付バンド２の構成を示す説明図であり、図８（ａ）は外観を示す斜視図、図８（ｂ）は構成部品を示す分解斜視図である。
【００６６】
他の実施形態におけるＵＨＦタグ付き巻付バンド２は、バンド部３０と、タグ本体２２と、リング部材３６と、からなる。なお、図１に示すＵＨＦタグ付き巻付バンド１を構成する部材と同一の部材については同一の符号を付して、詳細な説明は省略する。
【００６７】
バンド部３０は、バンド本体３２と、金属部材３４とからなる。
バンド本体３２は、上側バンド４０と、下側バンド４２とからなる。上側バンド４０及び下側バンド４２は、シリコンゴム等のゴム系材料により構成される帯板状の部材であり、上側バンド４０及び下側バンド４２を平面視した場合、上側バンド４０及び下側バンド４２は同一の形状である。
【００６８】
上側バンド４０の長手方向の中央部には、直方体形のケース部４０ａが形成されている。このケース部４０ａは、タグ本体２２を収納するものであり、タグ本体２２は、上側バンド４０の裏面側に形成された開口から挿入される。すなわち、本実施形態では、タグ本体２２と、ケースとしてのケース部４０ａとにより金属対応ＵＨＦタグが構成されているとも言える。
上側バンド４０の一方の端部には、複数の孔部４０ｂが長手方向に並んで形成されており、他方の端部には突起４０ｃが形成されている。
下側バンド４２の一方の端部には、複数の孔部４２ｂが長手方向に並んで形成されており、下側バンド４２上に上側バンド４０を重ね合わせた場合に、孔部４０ｂと孔部４２ｂとが一致する。
【００６９】
金属部材３４は、金属テープ、例えばアルミテープによって構成されており、下側バンド４２よりも若干細くかつ短い帯状の部材である。金属部材３４は、下側バンド４２上に配置され、更にその上に上側バンド４０が重ねられることにより、上側バンド４０と下側バンド４２との間に挟持される。金属部材３４の一方の端部には、複数の孔部３４ｂが長手方向に並んで形成されている。これらの孔部３４ｂは、金属部材３４が下側バンド４２上に固定された場合に、孔部３４ｂに一致するように形成されている。
なお、下側バンド４２上には、金属部材３４を配置する位置を示す指標が形成されており、この指標に従って金属部材３４が下側バンド４２上に配置される。また、金属部材３４の長手方向の中央部には、タグ本体２２を配置する位置を示す指標が形成されている。
【００７０】
そして、下側バンド４２上に金属部材３４が配置され、その上に上側バンド４０が重ねられ、上側バンド４０と下側バンド４２とが接着剤等によって一体化されることによってバンド部３０が構成される。
【００７１】
リング部材３６は、上側バンド４０及び下側バンド４２と同一部材すなわちシリコンゴム等のゴム系材料からなる、外周が長方形のリング体である。リング部材３６は、バンド部３０におけるケース部４０ａと突起４０ｃとの間に配置される。リング部材３６の内側は、バンド部３０の両端部の厚さの２倍程度に設定されている。
【００７２】
そして、下側バンド４２に金属部材３４が配置され、金属部材３４にタグ本体２２が接着剤等によって固定され、下側バンド４２における金属部材３４の配置領域の外側に接着剤等が塗布され、上側バンド４０と下側バンド４２とが貼着され、更に、リング部材３６が挿入されることによってＵＨＦタグ付き巻付バンド２が構成される。また、ＵＨＦタグ付き巻付バンド２を平面視した場合に、タグ本体２２の載置領域は、金属部材１４の載置領域内に含まれる。なお、接着剤としては、下側バンド４２に対して上側バンド４０を剥離させることが可能なものが望ましい。
【００７３】
ＵＨＦタグ付き巻付バンド２を例えば手首に装着する際には、下側バンド４２を手首側に向けてバンド部３０を手首に巻き付け、所望の孔部４２ｂに突起４０ｃを嵌合させる。また、必要に応じて、バンド部３０における孔部４２ｂ側の端部をリング部材３６に挿入する。これにより、ＵＨＦタグ付き巻付バンド２が手首に装着される。
【００７４】
このように構成することにより、金属部材３４の長さを変えることが容易に可能になる。また、金属部材３４が金属テープからなるため、バンド部３０の柔軟性が向上する。これにより、ＵＨＦタグ付き巻付バンド２を例えば手首に装着した場合に、バンド部３０が手首にフィットし易くなる。
【００７５】
なお、この実施形態においては、接着剤を用いて上側バンド４０と下側バンド４２とを一体化しているが、他の部材を用いて一体化させてもよい。例えば、両面に粘着性を有するテープを用いてもよい。
【符号の説明】
【００７６】
１、２  ＵＨＦタグ付き巻付バンド
１０、３０  バンド部
１２、３２  バンド本体
１４、３４  金属部材
２０  金属対応ＵＨＦタグ
２２  タグ本体
２２ａ  ＩＣ部
２２ｂ  アンテナ部
２４  ケース
２４ａ  収納部
２４ｂ  貫通孔
２４ｃ  蓋体
３４ｂ  孔部
３６  リング部材
４０  上側バンド
４０ａ  ケース部
４０ｂ  孔部
４０ｃ  突起
４２  下側バンド
４２ｂ  孔部
１００  通信システム
１０２  リーダライタ
【要約】
【課題】身体に取り付けた状態で、１〜２ｍ程度の通信を可能にするＵＨＦタグ付き巻付バンドを提供すること。
【解決手段】バンド部１０と、バンド部１０に着脱自在に取り付けられるパッシブ型の金属対応ＵＨＦタグ２０と、を備えるＵＨＦタグ付き巻付バンド１であって、バンド部１０は、手首等の身体に巻き付け可能な弾性部材からなるバンド本体１２と、可撓性を有しバンド本体１２に配置される帯板状の金属部材１４と、を備える。
【選択図】図１【図１】
0005878663.tif 000010
【図２】
0005878663.tif 000011
【図３】
0005878663.tif 000012
【図４】
0005878663.tif 000013
【図５】
0005878663.tif 000014
【図６】
0005878663.tif 000015
【図７】
0005878663.tif 000016
【図８】
0005878663.tif 000017